(57)【要約】【課題】            カタログ書籍を参照することによって、所望の雑誌を選択したうえで購入することが可能であり、かつ購入金額の取扱が簡便であるような、カタログ書籍の構成を提供すること。【解決手段】        既に出版されている雑誌、又は今後出版予定である複数の雑誌の各名称１を含み、かつ図面又は写真４を伴う表示部分、当該表示部分に対応している購入申込用の識別符号２、及び少なくとも一部の複数の雑誌に共通する購入金額３２を配列し、具体的には、複数の雑誌に共通する購入金額３２につき、複数段階に設定するか、又は全ての雑誌につき、購入金額３２を同一とすることに基づき、前記課題を達成することができるカタログ書籍。【選択図】          図３
0003110510.tif 000002
【実用新案登録請求の範囲】
【請求項１】
既に出版されている雑誌、又は今後出版予定である複数の雑誌の各名称を含み、かつ図面又は写真を伴う表示部分、当該表示部分に対応している購入申込用の識別符号、及び少なくとも一部の複数の雑誌に共通する購入金額を配列しているカタログ書籍。
【請求項２】
共通する購入金額が複数段階に設定されていることを特徴とする請求項１記載のカタログ書籍。
【請求項３】
複数の雑誌の全てにつき、購入金額が同一であることを特徴とする請求項１記載のカタログ書籍。
【請求項４】
各雑誌の概略内容を記載した文字部分を、各雑誌の表示部分の近傍に配列していることを特徴とする請求項１記載のカタログ書籍。
【請求項５】
雑誌と共に配布される景品が表示されていることを特徴とする請求項１記載のカタログ雑誌。
【考案の詳細な説明】
【技術分野】
【０００１】
本考案は、商品の紹介を行うカタログ書籍のうち、特に現在発行している雑誌、又は、将来発行する雑誌に基づく複数の雑誌を紹介するカタログ書籍に関するものである。
【背景技術】
【０００２】
諸々の商品を紹介し、かつ、公認の便宜を図っているカタログ書籍は、周知であり、かつ、その基本構成は、個別の商品の名称及び写真が配列され、かつ掲載されると共に、販売元であるカタログ書籍の作成者が特定された状態にて、掲載されている。
【０００３】
しかしながら、雑誌を掲載の対象とするために必要な構成を採用しているカタログ書籍は、社会的に浸透していない。
【０００４】
即ち、雑誌の分野においては、購入者はカタログ書籍の介在無しに、直接店頭又は出版元から購入する以外に基本的な購入ルートは確立されている訳ではない。
【０００５】
そして、その背景には、雑誌は出版社自ら発行している雑誌については、宣伝広告（ＰＲ）するも、他社の発行している雑誌について自ら宣伝広告を行うという慣習が存在しないことに由来している。
【考案の開示】
【考案が解決しようとする課題】
【０００６】
本考案は、カタログ書籍を参照することによって、所望の雑誌を選択したうえで購入することが可能であり、かつ購入金額の取扱が簡便であるような、カタログ書籍の構成を提供することを課題としている。
【課題を解決するための手段】
【０００７】
前課題を解決するため、本考案の基本構成は、既に出版されている雑誌、又は今後出版予定である複数の雑誌の各名称を含み、かつ図面又は写真を伴う表示部分、当該表示部分に対応している購入申込用の識別符号、及び少なくとも一部の複数の雑誌に共通する購入金額を配列しているカタログ書籍からなる。
【考案の効果】
【０００８】
前記解決手段に基づき、本考案においては、カタログ書籍を参照した消費者においては、当該カタログ書籍に配列され、かつ掲載されている各雑誌名を含み、かつ図面又は写真を伴う表示部分に対応した識別符号を、カタログ書籍作成者に対して伝達することによって、当該符号に対応した雑誌を購入することが可能となる。
【０００９】
しかも、当該符号に対応して、購入申込単位として、複数の購入回数、及び購入金額を配列した場合には、消費者は、購入の都度識別符号を伝達する必要はなく、当該符号を一度伝達することによって、複数回対応する雑誌をカタログ書籍の作成者を介して購入することが可能となる。
【００１０】
更には、少なくとも一部の複数の雑誌につき、共通の購入金額にて処理を行うことができるので、購入金額の取扱が極めて簡便である。
【考案を実施するための最良の形態】
【００１１】
図３は前記本考案の基本形態を示しており、所定の頁において、複数の雑誌名１を含み、かつ図面又は写真４を伴う表示部分、対応する識別符号２の表示部分、及び少なくとも一部の複数の雑誌に共通する購入金額３２が配列されている。
【００１２】
購入者においては、各雑誌名１に対応する識別符号２をカタログ書籍作成者に伝達することによって、自ら所望する雑誌を購入することが可能となる。
【００１３】
即ち、識別符号２は、雑誌の選択を行ったうえで申込を行う為の符号として、機能している。
尚、識別符号２は、単に数値だけではなく、アルファベット、ひらがな、カタカナ等の文字、又は数値と前記各文字との組み合わせを使用することができる。
【００１４】
前記識別符号２の伝達は、電話、ＦＡＸ、ｅ−ｍａｉｌ等によって当然実現可能である。
【００１５】
通常の雑誌購入に際しては、一定の期間を特定したうえで、購入することが行われているが、図３に示す実施形態においては、購入回数３１の表示部分及び購入金額３２の表示部分を配列した場合には、購入者においては、一度識別符号２を伝達することによって、表示された回数だけ、雑誌を購入することが可能となり、個別に購入する雑誌の識別符号２を伝達することが不要となる。
【００１６】
カタログに表示されている購入金額３２は、前記のように、少なくとも一部の複数の雑誌において共通しているが、このような共通する金額の表示を行っているのは、個別の雑誌毎に購入金額３２が相違することは、購入者、及びカタログ販売主催者にとって極めて煩雑であることに由来している。
【００１７】
即ち、前記共通する購入金額３２の表示によって、購入者及びカタログ販売主催者は、少なくとも一部の複数の雑誌については、共通の購入金額３２によって一括した代金の取扱が可能となり、極めて金銭上の取扱事務を簡便化することができる。
【００１８】
購入金額３２は、各雑誌の市場単価×表示された購入回数３１による金額よりも多い金額に設定されており、前者から後者を差し引いたことによる金額は、カタログ販売主催者が得る粗利（プレミアム）が包摂されている。
但し、各雑誌毎に得られる粗利は、概略同一であることから、購入金額３２が共通している各雑誌においては、雑誌の市場単価によって購入回数３１が左右されることになる（前記差額が概略一定であることは、結局各雑誌の購入単価×購入回数３１が概略一定であることを意味するから。）。
【００１９】
カタログに表示されている共通する購入金額３２については、複数段階に設定する場合と、単一段階に設定する場合、即ち、掲載されている全ての雑誌について購入金額３２を同一とする場合の双方を採用することができる。
【００２０】
特に後者の場合には、購入者及びカタログ販売主催者の双方において、単一の購入金額３２による金銭上の扱いが可能となり、円滑な金銭上の取扱に資するができる。
【００２１】
以下実施例に即して説明する。
【実施例１】
【００２２】
実施例１は、図１に示すように、各雑誌の概略内容を記載した文字部分５を、各雑誌の名称を含み、かつ図面又は写真４を伴う表示部分の近傍に配列かつ掲載していることを特徴としている。
【００２３】
このように、雑誌に掲載されている内容を文字部分５によって紹介した場合には、購入者は単に雑誌名１、又は表紙の写真４だけでなく、雑誌の概略上の内容を把握することによって購入に値するか否か、更には、購入することの意義を具体的に判断することが可能となる。
【実施例２】
【００２４】
実施例２は、雑誌と共に配布される景品６が表示されていることを特徴としている。
【００２５】
購入金額３２が共通している少なくとも一部の複数の各雑誌において、各雑誌の市場単価×購入回数３１は概略近似した金額であるが、正確には一致している訳ではない。
【００２６】
実施例２においては、この点を調整するために、雑誌と共に景品６を配布することによる公平な取扱を目的として、景品６の表示部分を設けている。
【００２７】
景品６の価格の算定としては、雑誌の市場単価×購入回数３１が最大値となる金額と、他の雑誌の市場単価×購入回数３１との差額を算定し、当該差額の範囲内にある代金額の景品６を、最初の段階で雑誌と共に送付するか、又は当該差額／購入回数３１による代金額の範囲内にある平均を、雑誌配送の都度添付して配送するような措置を講じ、前記のアンバランス（不平等性）を解消することになる。
【産業上の利用可能性】
【００２８】
本考案は、週刊誌、月刊誌等の定期刊行物の分野だけでなく、業界雑誌又は専門雑誌の分野においても利用可能であり、その適用分野は極めて広範である。
【図面の簡単な説明】
【００２９】
【図１】実施例１の構成に示すカタログ書籍の特定の頁における平面図である。
【図２】実施例２の構成に示すカタログ書籍の特定の頁における平面図である。
【図３】本発明の基本構成及び実施形態を示す所定の雑誌の頁を示す平面図である。
【符号の説明】
【００３０】
１：雑誌名
２：識別符号
３１：購入回数
３２：購入金額
４：図面又は写真
５：雑誌の内容を紹介した文字部分
６：景品
【図１】
0003110510.tif 000003
【図２】
0003110510.tif 000004
【図３】
0003110510.tif 000005